(57)【特許請求の範囲】
【請求項１】
第１の透明ガラス板を仮基板上に仮接着し、
仮基板上の第１の透明ガラス板表面に成膜した感光層中に、仮基板側に集光する物体光と平行光の参照光とを同時に入射させてマイクロレンズ用ホログラムを露光し、
その後、仮基板上に仮接着された第１の透明ガラス板表面の露光後の感光層上に第２の透明ガラス板を接着し、
その後、仮接着した仮基板を剥離する、
ことを特徴とする両面がガラスで封止されたホログラムの製造方法。
【請求項２】
前記の仮接着を、再剥離用溶剤型アクリル系粘着剤を介して行うことを特徴とする請求項１記載のホログラムの製造方法。
【請求項３】
前記の仮接着を、加熱により剥離する接着剤を介して行うことを特徴とする請求項１記載のホログラムの製造方法。
【請求項４】
前記感光層中へのホログラムの露光を、原版となるホログラムからの複製により行うことを特徴とする請求項１から３の何れか１項記載のホログラムの製造方法。
【発明の詳細な説明】
【０００１】
【発明の属する技術分野】
本発明は、ホログラムの製造方法に関し、特に、２枚のガラス等のシート若しくはフィルムで挟まれた構造を有するホログラムの製造方法に関するものである。
【０００２】
【従来の技術】
ホログラムを用いて光学素子、例えばマイクロレンズ等を作成する方法は一般に行われている。ホログラムにはレリーフ型、体積型の何れも用いられているが、体積型については、感光材料として、銀塩、ダイクロメートゼラチン、各種フォトポリマー等が用いられる。
【０００３】
体積型の場合、用いられる感光材料としては有機材料が大部分であり、材料の耐候性がなく、ガラス等の安定な材料で感光層を両面から封止することが望ましい。
【０００４】
このとき、ピックアップレンズ等に用いられるような微細なレンズの場合、小型、軽量が求められるため、カバーガラス厚は薄いことが求められる。
【０００５】
また、ホログラムレンズ以外でも、２枚の透明ガラスが両側にある構造のホログラムは多くある。例えば、ペンダント等の装飾用ホログラム、ホログラムスキャナー、ホログラムヘッドアップディスプレイに用いられている。
【０００６】
また、特開平５−１２１７０号に記載されているようなホログラムカラーフィルターもこのような構造を有している。
【０００７】
【発明が解決しようとする課題】
図４にホログラムを用いたマイクロレンズの断面図を示す。従来、このようなホログラムを作製する際、ハンドリングのしやすさ等により、透明ガラス板１１の上にフォトポリマー等の体積型ホログラム感光層２を形成し、そのホログラム感光層２にホログラムを撮影した後、そのホログラム感光層２上に透明ガラス板１２を接着剤等を用いて接着して作製していた。
【０００８】
このとき、透明ガラス板１２が薄いと、接着時にその平坦性を保つのは困難である。その平坦性が悪いと、収差が発生してマイクロレンズの集光性が悪くなる等の問題が起きる。また、透明ガラス板１２の実際の接着には、接着剤の膜厚のモニター、及び、接着剤硬化後の収縮等の考慮をしなければならなず、生産性及び歩留まりを悪くする原因になっている。
【０００９】
また、図４の構造において、透明ガラス板１１が薄いと、体積型ホログラム感光層２の形成、ホログラムの撮影時の取り扱いが困難である。
【００１０】
本発明は従来技術のこのような問題点に鑑みてなされたものであり、その目的は、寸法精度と平面性が良好で、簡単に、歩留り良く、高生産性で薄いガラスで封止されたホログラムを製造する方法を提供することである。
【００１１】
【課題を解決するための手段】
上記目的を達成する本発明のホログラムの製造方法は、第１の透明ガラス板を仮基板上に仮接着し、
仮基板上の第１の透明ガラス板表面に成膜した感光層中にホログラムを露光し、
露光後の感光層上に第２の透明ガラス板を接着し、
その後、仮接着した仮基板を剥離する、
ことを特徴とする方法である。
【００１２】
この場合に、仮接着を、再剥離用溶剤型アクリル系粘着剤を介して、あるいは、加熱により剥離する接着剤を介して行うことができる。
【００１３】
また、感光層中へのホログラムの露光を、原版となるホログラムからの複製により行うことができる。
【００１４】
本発明においては、第１の透明ガラス板を仮基板上に仮接着し、仮基板上の第１の透明ガラス板表面に成膜した感光層中にホログラムを露光し、露光後の感光層上に第２の透明ガラス板を接着し、その後、仮接着した仮基板を剥離するので、厚さの薄い第１の透明ガラス板上に直接容易に感光層をコーティング、ラミネート等の方法で成膜することができ、その後の露光等のハンドリングも容易となる。また、第１の透明ガラス板を仮接着する仮基板に平面性を持たせることによって、ホログラムの平面性を良好にすることができる。これにより、簡単で、歩留り良く、高生産性で、高精度のホログラムを製造することができる。
【００１５】
【発明の実施の形態】
以下、本発明のホログラムの製造方法の実施例を図１〜図２の工程図を参照にして説明する。
図１（ａ）に示すように、図４のような構成のマイクロレンズ用ホログラムのための薄い透明ガラス板１２を用意し、一方、平面性が良く、強度があり、ハンドリング性の良いガラス板のような仮基板２０を用意する。そして、仮基板２０上に、接着力が弱い再剥離用溶剤型アクリル系粘着剤（例えば、日本カーバイト工業（株）製  溶剤型アクリル系粘着剤ＫＰ−１４２０、ＫＰ−１４０５、ＫＰ−１００４、ＫＰ−１１０５、Ｙ−１９４１Ａ）、加熱により剥離するワックス等の接着剤からなる再剥離性接着層２１を介して、上記の薄い透明ガラス板１２を仮接着する。以下、透明ガラス板１２とそれに仮接着した仮基板２０からなる積層体を複合基板２２と呼ぶ。
【００１６】
次に、図１（ｂ）に示すように、複合基板２２の薄い透明ガラス板１２側表面にフォトポリマー等の体積型ホログラム感光層２３を形成する。そして、その上にホログラム原版２５を光学的に密着させる。
【００１７】
そして、図１（ｃ）に示すように、ホログラム原版２５上に複製照明光２７を入射させる。
ここで、ホログラム原版２５は、体積ホログラム２と同様に、図３に示すように、複製照明光２７が入射すると、１点に集光する回折光２８と回折されないで直進する０次光２９とが生じ、体積型ホログラム感光層２３中でそれらが干渉し、その層中にホログラム２が複製されるものである。
【００１８】
その積層体のホログラム２（２３）の上に、図２（ａ）に示すように、接着層３０を介して入射側の透明ガラス板１１を接着させる。
【００１９】
そして、この状態で、再剥離性接着層２１を境にして複合基板２２から仮基板２０を剥離すると、図２（ｂ）に示すような構成の本発明のホログラムが得られる。
【００２０】
以上、本発明のホログラムの製造方法を１つの実施例に基づいて説明してきたが、本発明はこの実施例に限定されず種々の変形が可能である。例えば、ホログラム原版２５とては、２光束干渉露光で作成したもの、ＣＧＨ（計算機生成ホログラム）の方法で作成したものでもよい。また、ホログラム２を複製によらず２光束干渉露光によって作製するようにしてもよい。その場合は、図３を用いて説明すると、０次光２９と同様な平行光を参照光とし、回折光２８と同様な集光光を物体光として、体積型ホログラム感光層２３中で干渉させればよい。
【００２１】
なお、透明ガラス板１２と仮基板２０を仮接着する再剥離性接着層２１の接着剤としては、前記のように加熱等により剥離する接着剤を用いてもよいが、感光層２３と接着層３０の間、透明ガラス板１１と接着層３０の間、及び、感光層２３と透明ガラス板１２の間の接着力より十分に弱い接着力を有する接着剤あるいは粘着剤で十分である。
【００２２】
なお、体積ホログラム２は、図５に示すように、透明ガラス板１１、１２より一回り小さくてもよい。このためには、ホログラム２を第１の透明ガラス板１２表面上に成膜するときに、小面積に成膜してもよいし、全面に成膜した後、露光前若しくは露光後に周辺を除去して小面積にしてもよい。このとき、接着層３０が体積ホログラム２が存在しない部分で２枚の透明ガラス板１１、１２を直接接着してもよい。これにより、体積ホログラム２の強度がない場合でも、強固に密着できると同時に、体積ホログラム２が湿気や酸素等外気により変質する場合でも保護するとことができる。
【００２３】
接着層３０に用いる接着剤としては、エポキシ系等の２液硬化型、紫外線硬化型等、体積ホログラム２や透明ガラス板１１、１２と接着できるものなら使用できる。
【００２４】
【発明の効果】
以上の説明から明らかなように、本発明のホログラムの製造方法によると、第１の透明ガラス板を仮基板上に仮接着し、仮基板上の第１の透明ガラス板表面に成膜した感光層中にホログラムを露光し、露光後の感光層上に第２の透明ガラス板を接着し、その後、仮接着した仮基板を剥離するので、厚さの薄い第１の透明ガラス板上に直接容易に感光層をコーティング、ラミネート等の方法で成膜することができ、その後の露光等のハンドリングも容易となる。また、第１の透明ガラス板を仮接着する仮基板に平面性を持たせることによって、ホログラムの平面性を良好にすることができる。これにより、簡単で、歩留り良く、高生産性で、高精度のホログラムを製造することができる。
【図面の簡単な説明】
【図１】本発明のホログラムの製造方法の１実施例の工程図の一部である。
【図２】図１に続く工程図の残りである。
【図３】複製ホログラム原版であるＣＧＨの作用を説明するための図である。
【図４】本発明によるホログラムを用いたマイクロレンズの断面図である。
【図５】体積ホログラムの変形形態を示す断面図である。
【符号の説明】
２…体積ホログラム
１１、１２…透明ガラス板
２０…仮基板
２１…再剥離性接着層
２２…複合基板
２３…体積型ホログラム感光層
２５…ホログラム原版
２７…複製照明光
２８…回折光
２９…０次光
３０…接着層
【図１】
0004492892.tif 000002
【図２】
0004492892.tif 000003
【図３】
0004492892.tif 000004
【図４】
0004492892.tif 000005
【図５】
0004492892.tif 000006